(57)【要約】【課題】各防煙垂壁パネルを一定の高さに容易に調整できること。【解決手段】防煙垂壁パネル30の複数個を列設して天井部に固定するパネル式防煙垂壁である。天井部レール状部材10、端部レール状部材11及び下端レール状部材12が断面コ字形状の金属製型材からなり、防煙垂壁パネル30同士の間には防煙垂壁パネル30と下端レール状部材12を支持する吊持部材20を配設する。この吊持部材20は吊持バー20rとその上端と下端に設けた固定部材21, 22とからなる。吊持バー20rの両端部には雄ネジが刻設されて固定部材21, 22と相互に螺着され、固定部材21, 22は天井部レール状部材10と下端レール状部材12に固定される。これにより吊持バー20rの上下方向の長さを微調整できる。吊持部材20が設けられた防煙垂壁パネル30同士の間隙を塞ぐように、隣接する防煙垂壁パネル30のフレームの表面側と裏面側にフラットバーからなる被覆部材25を設けた。【選択図】図３
2013150766.tif 000002
【特許請求の範囲】
【請求項１】
周囲４辺のフレームに防煙用シート部材が張設された防煙垂壁パネルの複数個を列設し、天井部に配設された天井部レール状部材と、その一方端又は両端の柱又は壁面に配設された端部レール状部材と、下端に配設された下端レール状部材によって前記防煙垂壁パネルが囲繞されて固定されるパネル式防煙垂壁において、
前記天井部レール状部材(10)、端部レール状部材(11, 11)及び下端レール状部材(12)が断面コ字形状又は断面Ｌ字形状の型材からなり、
防煙垂壁パネル(30)同士の間には防煙垂壁パネル(30)及び下端レール状部材(12)を吊り下げ、支持する吊持部材(20)を配設し、
この吊持部材(20)は、吊持バー(20r)とその上端及び下端に設けられた固定部材(21, 22)とからなり、吊持バー(20r)の両端部には雄ネジが刻設されて固定部材(21, 22)と相互に螺着され、固定部材(21, 22)はそれぞれ天井部レール状部材(10)及び下端レール状部材(12)に固定され、これにより吊持バー(20r)の上下方向の長さを長短自在に調整でき、
更に、前記吊持部材(20)が設けられた防煙垂壁パネル(30)同士の間隙を塞ぐように、隣接する防煙垂壁パネル(30, 30)のフレーム(33, 34)の表面側及び／又は裏面側にフラットバーからなる被覆部材(25)を設けたことを特徴とするパネル式防煙垂壁。
【請求項２】
前記防煙垂壁パネル(30)を配設固定した後、防煙垂壁パネル(30)のフレーム(31, 32, 33, 34)と天井部レール状部材(10)、端部レール状部材(11, 11)及び下端レール状部材(12)との間に変性シリコン等のシーリング材(40)を充填したことを特徴とする請求項１に記載のパネル式防煙垂壁。
【請求項３】
前記防煙垂壁パネル(30)を一方側の柱又は壁から対向する柱又は壁面に向かう中間位置まで架設した際に、かかる中間位置の端面部にフラットバーから成る化粧カバーを防煙垂壁パネル(30)のフレーム端面に固定し、柱又は壁面から天井部の中間部位までパネル式防煙垂壁を設けたことを特徴とする請求項１又は２に記載のパネル式防煙垂壁。
【請求項４】
前記それぞれの防煙垂壁パネル(30)の上下のフレーム(31, 32)間に上下のフレームの間隔を拡張する方向に張力を付加する１又は２以上のテンションバー(35)を設け、
それぞれのテンションバー(35)が２本の管体(35u, 35s)から形成され、一方が他方の端部に嵌入するように構成して、テンションバー(35)の長さを長くすることにより上下のフレーム(31, 32)の間隔を拡張できることを特徴とする請求項１乃至３の何れか１項に記載のパネル式防煙垂壁。
【請求項５】
前記下端レール状部材(12)の内部又は外部に挿通部を設け、この挿通部に樹脂製ファイバーや金属製ワイヤー等の線状材(42)を挿通し、この線条材(42)の両端部を端部レール状部材(11)に固定して緊張状態に張設することにより、列設した防煙垂壁パネル(30)の揺れを防止できるようにしたことを特徴とする請求項１、２又は４に記載の防煙垂壁。
【発明の詳細な説明】
【技術分野】
【０００１】
本発明は、建物の天井部に架設される防煙用の垂壁に関するものであり、とりわけ矩形形状の４辺にフレームを有し、透明又は半透明の合成樹脂製シート状体から成る防煙用シート部材をこれら４辺のフレームに張設した防煙垂壁パネルを用いたものに関するものである。
【背景技術】
【０００２】
近年、地震や火災等の災害が多発する中、消防法では防煙垂壁が義務づけられている。
この防煙垂壁は、従来より板ガラスにより構築されていたが、地震時にはそれ自身の重量のために破損、落下が生じ、人的被害や物損被害が生じている現状である。
そこで、現在では、この板ガラスに代わり、ガラス繊維を含む強化樹脂シートが創案され、このガラス繊維強化樹脂シートを天井部から所定長さ下方に垂れ幕のように張設した防煙垂壁が開発され、普及している。
【０００３】
このような防煙垂壁としては、上記のようなテンションを付加して張設するタイプの他に、本発明に係るパネル式のものもあり、このパネル式防煙垂壁は、その周囲の４辺にフレームを有し、この４辺のフレームに防煙用シート部材を張設した防煙垂壁パネルを用いたものであり、この防煙垂壁パネルの複数個を一列に列設することにより天井部の所定部位に防煙垂壁を形成することができるものである。
【０００４】
下記特許文献１に記載の「防煙垂れ壁用パネル、その製造方法及び防煙垂れ壁」においては、透明で、見栄えの良い防煙垂れ壁を施工性良く形成することができ、たとえ落下しても、大きく飛び散って重大事故を引き起こす恐れの無い防煙垂れ壁用パネルを提供することを課題とするものである。
【０００５】
その構成は、枠体内の一対の長辺枠材を内側に湾曲させた状態でガラス繊維シートを取り付けることで、ガラス繊維シートを長辺枠材の復元力によって張り、しわのない見栄えの良いパネルを形成し、防煙垂れ壁にこのパネルを用いることで施工や取扱いを容易とし且つ落下した際の危険を少なくするものである。
また、ガラス繊維シートの構成材料の特定を行い、不燃性を与えると共に、ガラス繊維織物中のガラス繊維を構成するガラス組成物と樹脂被覆層との屈折率の差を限定することにより、透明性を付与し見栄えを良くしたものである。
【先行技術文献】
【特許文献】
【０００６】
【特許文献１】特開２００７−１１７４７１号公報
【発明の概要】
【発明が解決しようとする課題】
【０００７】
本発明は、パネル式防煙垂壁において、複数の防煙垂壁パネルを一列に列設し、吊り下げ固定することとなるが、この吊り下げ手段の簡素化と、その吊持に際しての各防煙垂壁パネルを一定の高さに容易に調整し、固定できるようにすることをその第一の課題としている。
また、従来のパネル式のものと同様に、その取り扱いの容易さと施工性の向上もその課題となり、パネルの防煙用シート部材の汚れや傷が付いた場合には、そのパネルのみを容易に交換することができ、更にパネルに張設されている防煙用シート部材に皺が寄らないこと、エアコン等からの送風に対しても揺れが生じないようにすることも本発明の課題となる。
【課題を解決するための手段】
【０００８】
上記課題を解決するために、本発明の第１のものは、周囲４辺のフレームに防煙用シート部材が張設された防煙垂壁パネルの複数個を列設し、天井部に配設された天井部レール状部材と、その一方端又は両端の柱又は壁面に配設された端部レール状部材と、下端に配設された下端レール状部材によって前記防煙垂壁パネルが囲繞されて固定されるパネル式防煙垂壁において、前記天井部レール状部材、端部レール状部材及び下端レール状部材が断面コ字形状又は断面Ｌ字形状の型材からなり、防煙垂壁パネル同士の間には防煙垂壁パネル及び下端レール状部材を吊り下げ、支持する吊持部材を配設し、この吊持部材は、吊持バーとその上端及び下端に設けられた固定部材とからなり、吊持バーの両端部には雄ネジが刻設されて固定部材と相互に螺着され、固定部材はそれぞれ天井部レール状部材及び下端レール状部材に固定され、これにより吊持バーの上下方向の長さを長短自在に調整でき、更に、前記吊持部材が設けられた防煙垂壁パネル同士の間隙を塞ぐように、隣接する防煙垂壁パネルのフレームの表面側及び／又は裏面側にフラットバーからなる被覆部材を設けたことを特徴とするパネル式防煙垂壁である。
【０００９】
本発明の第２のものは、上記第１の発明において、前記防煙垂壁パネルを配設固定した後、防煙垂壁パネルのフレームと天井部レール状部材、端部レール状部材及び下端レール状部材との間に変性シリコン等のシーリング材を充填したことを特徴とするパネル式防煙垂壁である。
【００１０】
本発明の第３のものは、上記第１又は第２の発明において、前記防煙垂壁パネルを一方側の柱又は壁から対向する柱又は壁面に向かう中間位置まで架設した際に、かかる中間位置の端面部にフラットバーから成る化粧カバーを防煙垂壁パネルのフレーム端面に固定し、柱又は壁面から天井部の中間部位までパネル式防煙垂壁を設けたことを特徴とするパネル式防煙垂壁である。
【００１１】
本発明の第４のものは、上記第１乃至第３の発明のそれぞれにおいて、前記それぞれの防煙垂壁パネルの上下のフレーム間に上下のフレームの間隔を拡張する方向に張力を付加する１又は２以上のテンションバーを設け、それぞれのテンションバーが２本の管体から形成され、一方が他方の端部に嵌入するように構成して、テンションバーの長さを長くすることにより上下のフレームの間隔を拡張できることを特徴とするパネル式防煙垂壁である。
【００１２】
本発明の第５のものは、上記第１、第２又は第３の発明において、前記下端レール状部材の内部又は外部に挿通部を設け、この挿通部に樹脂製ファイバーや金属製ワイヤー等の線状材を挿通し、この線条材の両端部を端部レール状部材に固定して緊張状態に張設することにより、列設した防煙垂壁パネルの揺れを防止できるようにしたことを特徴とする防煙垂壁である。
【発明の効果】
【００１３】
本発明の第１のものにおいては、同一形態からなる防煙垂壁パネルの複数個を一列に列設して設置することができ、テンション式のものと比較すると、防煙用シート部材に張力を付加する作業が不要となり、より簡単に設置することができる。
また、列設した防煙垂壁パネルの一部が汚損した場合には、そのパネルのみを交換することもできる。
【００１４】
本発明においては、特に、天井部レール状部材、端部レール状部材及び下端レール状部材を断面コ字形状又は断面Ｌ字形状の型材から構成し、防煙垂壁パネル同士の間に防煙垂壁パネル及び下端レール状部材を吊り下げ、支持する吊持部材を配設しており、この吊持部材が、吊持バーとその上端及び下端に設けられた固定部材とからなり、吊持バーの両端部には雄ネジが刻設されて固定部材と相互に螺着され、固定部材はそれぞれ天井部レール状部材及び下端レール状部材に固定されているために、吊持バーの上下方向の長さを長短自在に微調整できる構成となっている。
【００１５】
これにより、防煙垂壁パネルを天井部レール状部材と下端レール状部材との間に配設する際に、隣接するパネル間には少しの間隔が生じるが、これらの高さを一定に調整することができ、それ故、列設されるパネル全体の高さを一定にして配列し、架設することが可能となるのである。これが本発明の最大の効果である。
【００１６】
尚、本発明においては、防煙垂壁パネル間に前記吊持部材が配設されている関係上、この防煙垂壁パネル同士の間に間隙が生じるが、この間隙は、フラットバーからなる被覆部材を設けているために、この部位での煙の侵入を防止することができる。
【００１７】
本発明の第２のものにおいては、防煙垂壁パネルを張設した後、防煙垂壁パネルのフレームと天井部レール状部材、端部レール状部材及び下端レール状部材との間に変性シリコン等のシーリング材を充填したことを特徴とし、これにより各レール状部材と防煙垂壁パネルのフレームとの機密性を向上させ、火災等発生時の煙の侵入を防止できるのである。
【００１８】
本発明の第３のものにおいては、本発明に係るパネル式防煙垂壁を一壁面又は柱面から部屋の中間部まで、つまり対向する壁面等まで設けずに、その中間部位まで設けた場合を想定し、この際の防煙垂壁パネルの端部にフラットバーからなる化粧カバーを固定したものである。端部に位置する防煙垂壁パネルの端面の美観を考慮したものである。
【００１９】
本発明の第４のものにおいては、本発明に係るパネル式防煙垂壁に用いる防煙垂壁パネルをより限定したものである。
即ち、それぞれの防煙垂壁パネルの上下のフレーム間に上下のフレームの間隔を拡張する方向に張力を付加する１又は２以上のテンションバーを設け、それぞれのテンションバーは２本の管体から形成され、一方が他方の端部に嵌入するように構成して、テンションバーの長さを長くすることにより上下のフレームの間隔を拡張できるものである。
【００２０】
本発明の第５のものにおいては、下端レール状部材の内部に又は外部に挿通部を設け、この挿通部に樹脂製ファイバーや金属製ワイヤー等の線条材を挿通し、この線条材の両端部は端部レール状部材に固定して緊張状態に張設することにより、列設した防煙垂壁パネルの揺れを防止することができるものである。
本発明に係る下端レール状部材は、上記のとおり、断面コ字形状のものを使用しているために、その内部が挿通部として使用可能となり、容易に線条材を配設して両端部の端部レール状部材に固定することができるのである。
また、下端レール状部材の外部であれば、例えば、円環状又は環状金具を取り付けてその穴部に線条材を挿通して実施することも可能となるのである。
【図面の簡単な説明】
【００２１】
【図１】本発明の防煙垂壁に係る一実施形態を天井部に設置した状態の正面図である。
【図２】上記実施形態において使用する防煙垂壁パネルを図示する正面図である。
【図３】上記実施形態に係る防煙垂壁パネル間に配設される吊持部材の部分を示し、その（Ａ）がパネルの端面方向から見た縦断面を、その（Ｂ）がパネルの正面方向から見た縦断面を示している。
【図４】上記実施形態に係るパネル式防煙垂壁の防煙垂壁パネルのテンションバーの部位の縦断面で、パネルの端面側から見た図である。
【図５】上記実施形態に係るパネル式防煙垂壁の端部レール状部材の部分の横断面図である。
【図６】上記実施形態に係るパネル式防煙垂壁の端部レール状部材と下端レール状部材の下端コーナー部分の縦断面説明図である。
【図７】本発明の他の実施形態を示し、下端レール状部材の内部に配設された線条材を図示したものであり、その（Ａ）が正面説明図、その（Ｂ）が縦断面説明図である。
【発明を実施するための形態】
【００２２】
以下、添付の図面と共に本発明の実施形態について説明する。
図１は、本発明の防煙垂壁に係る一実施形態を天井部に設置した状態の正面図である。  
本発明に係るパネル式防煙垂壁は、天井部Ｃに配設される天井部レール状部材１０と、その両端部の壁面Ｗ又は柱面の鉛直方向に配設される端部レール状部材１１、１１と、下端に配設される下端レール状部材１２によって囲繞されて、複数の防煙垂壁パネル３０が一列に配列され、固定される。
【００２３】
これら天井部レール状部材１０、端部レール状部材１１、１１及び下端レール状部材１２のそれぞれは、金属製の断面コ字形状の型材を使用し、これら断面コ字形状の開口部がそれぞれ内向きに配置され、この開口部に防煙垂壁パネル３０のフレームが嵌入できるように構成している。
【００２４】
この防煙垂壁パネル（以下、単に「パネル」という。）３０は、長方形形状を有し、その４辺の金属製フレームに防煙用シート部材３０ｓが張設されているものである。
このパネル３０の上フレームと下フレーム間には上下方向にテンションバー３５が設けられ、これら上及び下フレームを上下拡張方向にテンションを付加できるように形成している。
【００２５】
図２が、このパネルを図示する正面図である。
防煙垂壁パネル３０は、長方形形状を有し、各辺のフレームを金属製角型管体から形成し、防煙用シート部材３０ｓは、これら４辺のフレームに張設されている。
防煙用シート部材３０ｓとしては、例えば現在流通している透明のガラス繊維強化樹脂シートを利用することができるが、その他各種の不燃シートを利用することもできる。
【００２６】
防煙用シート部材３０ｓは、４辺のフレームに接着剤により接着することができ、更にその接合部分にフラットバーを螺着して固定することもできる。
このパネル３０には、上フレーム３１と下フレーム３２の間の上下拡張方向にテンションを付加できるテンションバー３５を２本設けている。
【００２７】
テンションバー３５の構成は、後に説明するが、２本の管体から形成し、一方が他方の端部に嵌入するように構成して、テンションバーの長さを長くすることにより上下のフレーム３１、３２の間隔を拡張し、両者を固定できるように形成している。
勿論、本発明においては、このパネルとして従来のものを転用することもできる。
【００２８】
図３は、本発明に係るパネル式防煙垂壁において防煙垂壁パネル間に配設される吊持部材の部分を示し、その（Ａ）がパネルの端面方向から見た縦断面を、その（Ｂ）がパネルの正面方向から見た縦断面を示している。
この吊持部材２０は、上固定部材２１と、下固定部材２２と、これら両者を連結する吊持バー２０ｒとからなる。
【００２９】
上及び下固定部材２１、２２は、縦断面略長方形の枠体からなる同一形態を有しており、上固定部材２１の下面中央には螺子挿通孔が設けられ、同様に下固定部材２２の上面中央にも螺子挿通孔が設けられている。
吊持バー２０ｒの両端部には雄ネジを刻設しており、これらの両端部が上及び下固定部材２１、２２の螺子挿通孔を貫通してナット等の螺子により相互に固定されると共に、吊持バー２０ｒの上下長さが決定される。
【００３０】
上固定部材２１は、天井部に配設された天井部レール状部材１０の開口部に嵌合され、螺着固定されている。他方、下固定部材２２も、下端レール状部材１２の開口部に嵌合され螺子により螺着固定されるのである。
この実施形態では、上記下固定部材２２においては、断面コ字形状の固定用金具２３を介して下端レール状部材１２に固定されている。
【００３１】
以上の構成により、隣接する防煙垂壁パネル３０の間に配設される吊持部材２０により、それぞれのパネル３０が吊り下げられ、固定されるのである。
この吊持部材２０は、パネル３０間のそれぞれに設けられている。
そして、この吊持バー２０ｒの長さを微調整することにより、一列に配列されたパネル３０、３０、…が一定の高さに調整され、固定されることとなるのである。
【００３２】
更に、この吊持部材２０の部分においては、煙等が通過又は侵入しないようにするために、被覆部材２５をパネル３０の表面側及び裏面側の両側に配設している。
この被覆部材２５は、金属製のフラットバーを使用し、天井部レール状部材１０と下端レール状部材１２の間の上下方向に配設され、パネル３０の右又は左の縦フレーム３３、３４に螺着され、固定される。
【００３３】
この被覆部材２５は、パネル３０の表面側又は裏面側の一方の側に設けるのみであってもよいが、吊持部材２０を隠す意味合いもあるため、デザイン性を考慮して表面側及び裏面側の両側に設けることが望ましい。即ち、この被覆部材２５は化粧カバーの役割を荷うものでもある。
【００３４】
図４は、上記実施形態に係るパネル式防煙垂壁の防煙垂壁パネルのテンションバーの部位の縦断面で、パネルの端面側から見た図である。
この図から解るとおり、防煙垂壁パネル３０は、天井部に配設された天井部レール状部材１０と下端の下端レール状部材１２の間に配置され、パネル３０の適宜位置にテンションバー３５が配設されている。
【００３５】
このテンションバー３５は、下方に位置する下方管体３５ｓと上方に位置する上方管体３５ｕとからなり、上方管体３５ｕの下端部が下方管体３５ｓの内部に挿入する構造である。これら上方及び下方管体３５ｕ、３５ｓを相互に反対方向に伸張させることによりテンションバー３５が拡張し、パネル３０の上フレーム３１と下フレーム３２とが上下方向に拡張されるのである。
両管体３５ｕ、３５ｓは、固定螺子３５ｔにより相互に螺着固定される。
ここで、何れか一方の管体の螺子挿通孔を上下に長い長孔に形成しておくこともできる。
【００３６】
図５は、上記実施形態に係るパネル式防煙垂壁の端部レール状部材の部分の横断面図である。
この図から解る通り、壁面Ｗに固定された開口部が左側を向く端部レール状部材１１の開口部内に防煙垂壁パネル３０の右側の縦フレーム３４が嵌入する。
縦フレーム３４は、端部レール状部材１１の一方の側面部１１ｒに螺着され固定される。
【００３７】
パネル３０の縦フレーム３４の一側面部（図中下側側面部）に防煙用シート部材３０ｓが接合されている。
この防煙用シート部材３０ｓが接合された縦フレーム３４の側面と端部レール状部材１１の側面部１１ｓ（図中下側）との間には、変性シリコンからなるシーリング材４０を充填し、その後方にはバックアップ材４１を設けている。
【００３８】
図６は、上記実施形態に係るパネル式防煙垂壁の端部レール状部材と下端レール状部材の下端コーナー部分の縦断面説明図である。
この図から解るとおり、本実施形態に係る防煙垂壁パネル３０は、その縦フレーム３４と下フレーム３２の左下端部が、端部レール状部材１１と下端レール状部材１２の左下端部内に嵌入し、これら両レール状部材１１、１２を固定する端部下端固定金具１５によって固定されている。
【００３９】
本実施形態に係るパネル式防煙垂壁の右下端部も図４と対称の構成となる。
そして、両レール状部材１１、１２とパネル３０の縦フレーム３４及び下フレーム３２との間の間隙には適宜シーリング材が充填されるのである。
【００４０】
上記実施形態に係るパネル式防煙垂壁の施工手順は、極めて簡単で、先ず天井部レール状部材を天井部に固定し、両端部の壁面には端部レール状部材を固定し、適宜位置に吊持部材を配設して吊り下げ、下端レール状部材を取り付けつつ、防煙垂壁パネルを嵌め込み、仮止めを行い、各パネルの高さ調整を前記吊持部材により行い、最終の締め付け固定を行えば完成である。
【００４１】
図７は、本発明の他の実施形態を示すものであって、下端レール状部材の内部に配設された線条材を図示したものであり、その（Ａ）が正面説明図、その（Ｂ）が縦断面説明図である。
この実施形態においては、列設した防煙垂壁パネル３０の下端部に配設される下端レール状部材１２の内部に樹脂製ファイバーや金属製ワイヤー等からなる線条材４２が挿通され、配設されている。
即ち、この下端レール状部材１２が線条材４２の挿通部となるのである。
【００４２】
更に詳説すると、挿通部となる下端レール状部材１２は、横断面コ字形状を有する金属製型材から成るため、その上方開口部内に、防煙垂壁パネル３０の下端部が嵌入し、吊持部材２０によって、これら下端レール状部材１２及び防煙垂壁３０が吊持され、固定される。
この下端レール状部材１２の内部に前記線条材４２が配設され、この線条材４２の両端部を端部レール状部材に緊張状態に固定することができるのである。
これにより、本発明に係るパネル式防煙垂壁は、エアコンの風圧等に対抗して、その揺れを防止することができるのである。
【００４３】
尚、この実施形態では、実験により約５ｍの風速に耐えることができたものである。
また、この線条材を挿通する挿通部としての下端レール状部材１２は、１本の長尺状の金属製型材を使用しているが、これを複数本連結して配設することも可能である。
また、線条材の中間部にターンバックルを設け、これを回転することにより線条材の緊張度合（強度）を調節できるように構成することも可能である。
【００４４】
更に、線条材を挿通するための挿通部としては、上記下端レール状部材１２の内部ばかりでなく、その外部、つまりその下端面若しくはその表面側又裏面側の側面に円環状の又は環状の金具を取り付け、この金具の穴部に線条材を挿通して揺れ止め又は振れ止めとすることも当然可能である。
しかし、デザイン上の観点からは、本実施形態においては、その下端部に下端レール状部材１２が配設されているために、その内部に線条材を挿通して、外部から目視できない状態に配設するのがスマートなものとなる。
【００４５】
以上、本発明の一実施形態について説明したが、本発明においては以下の通りその形態を種々設計変更することができる。
上記実施形態においては、天井部レール状部材、端部レール状部材及び下端レール状部材として、断面コ字形状の型材を利用したが、これらのレール状部材としては、断面Ｌ字形状のアングル材を利用することも可能である。
【００４６】
アングル材を使用する場合には、パネルのフレームの一方の側の美観を考慮して、フラットバーからなる被覆部材又は化粧バーを被覆し固定することが好ましい。
また、上記実施形態では、金属製のレール状部材として記載したが、この金属製のものとしは、アルミニウム製或いはスチール製の何れのものをも使用することができる。これらレール状部材は、その強度が満たされるものであれば、金属製でなく合成樹脂製のものを利用することも可能である。
更に、天井部レール状部材及び下端レール状部材は、その複数本を連結して設置することもできる。
【００４７】
防煙垂壁パネルのフレームの材質も自由であり、アルミ製又はスチール製のものを採用することができる。それぞれのレール状部材及びパネルのフレームの材質は、熱膨張率を考慮して同じ材質とすることが極めて望ましい。
上記同様、パネルのフレームもその強度が満たされるものであれば、合成樹脂製のものを採用することもできる。
防煙用シート部材の材質も自由であるが、不燃性のもので、透明又は半透明のものが望ましい。
【００４８】
防煙垂壁パネルを連結し支持する吊持部材の構成についても種々設計変更可能で、吊持バーの長さや、その上下端部に設けた固定部材の形態も種々設計変更可能である。
要は、吊持バーの長さ調整が可能な構成であればよい。尚、上記実施形態では、その素材は、レール状部材及びパネルのフレームと同一ものを使用している。
吊持部材が設けられた部分を被覆する被覆部材であるフラットバーの横幅も隣接するパネルの縦枠間を被覆できるものであればよく、この被覆部材は、美観を向上させる化粧バーとしての機能も発揮する。
【００４９】
本発明に係るパネル式防煙垂壁は、一方の壁から対向する他方の壁に架けて架設することができるが、その中間部位で留めることもできる。
この場合には、天井部の中間部位で、パネルの縦フレームがその端部となるために、この端部にフラットバーからなる化粧バーを貼り付け固定することにより、その美観を向上させることが出来る。
この構成を請求項３に特定したものである。
【００５０】
本発明に係る防煙垂壁パネルのテンションバーの構成を請求項４に特定し、上記実施形態において、２本の管体から構成したが、これを１本の棒状体から構成し、この棒状体の両端部に雄ネジ部を刻設し、パネルの上下のフレームに螺子挿通孔を設けて、この棒状体の両端部に螺合させた螺子によりこの棒状体の上下フレーム間の長さを拡張するように構成することも可能である。
【００５１】
最後に、本発明においては、その防煙垂壁の下端部に線条材を挿通する挿通部を設け、この挿通部に線条材を挿通し、この線条材の両端部は端部レール状部材に固定して、線条材を緊張状態に張設して防煙垂壁の揺れ及び振れを防止できる。
この挿通部としては、上記実施形態のように下端レール状部材をそのまま利用して、その内部に線条材を挿通させることが出来るが、この下端レール状部材の外部に環状金具等の線条材が挿通できる部材を設けて実施することができ、線条材も合成樹脂製ファイバーや金属製ワイヤー等の各種線条材を利用することができる。
【００５２】
尚、挿通部は、上記下端レール状部材の外表面に、即ち、この下端レール状部材の下端面、表面側又は裏面側の側面部に設けることもできるのである。
また、環状金具以外のものとしては、下端レール状部材の表面側及び裏面側の側面を下方に延長して平行する２枚の延長部を形成し、その内部に線条材を挿通して実施することも可能である。
【００５３】
以上、本発明は、その吊持部材の部分に最大の特徴があり、これによって複数の防煙垂壁パネルを一定の高さに微調整して列設可能とし、天井部に防煙垂壁パネルを極めて美しく配列して架設することができ、その下端部の線条材の付加により、列設した複数のパネルの揺れをも良好に防止できる多大な効果を発揮するパネル式防煙垂壁を提供することができたものである。
【符号の説明】
【００５４】
１０  天井部レール状部材
１１  端部レール状部材
１２  下端レール状部材
２０  吊持部材
２０ｒ  吊持バー
２１  上固定部材
２２  下固定部材
２５  被覆部材
３０  防煙垂壁パネル
３０ｓ  防煙シート部材
３１  上フレーム
３２  下フレーム
３３、３４  縦フレーム
３５  テンションバー
３５ｓ  下方管体
３５ｕ  上方管体
４０  シーリング材
４２  線条材
Ｃ  天井部
Ｗ  壁面
【図１】
2013150766.tif 000003
【図２】
2013150766.tif 000004
【図３】
2013150766.tif 000005
【図４】
2013150766.tif 000006
【図５】
2013150766.tif 000007
【図６】
2013150766.tif 000008
【図７】
2013150766.tif 000009